【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
分析物値を検出することによって分析物をモニタリングしているバイオセンサから分析物データを受信するための受信機を作動する方法であって、
受信機（１）で、第１の間隔時間が適用される時間間隔で分析物をモニタリングするバイオセンサ（８）によって検出された分析物値を受信することと、
前記受信機（１）で現在の分析物値を受信することと、
前記分析物値の変化レートを提供することと、
前記現在の分析物値、前記第１の間隔時間および前記変化レートをもとに将来の分析物値を決定することと、
前記分析物値に関する分析物値範囲を提供することと、
第２の間隔時間を設定することであって、前記第２の間隔時間は、
前記将来の分析物値が前記分析物値範囲の外側にある場合、前記第１の間隔時間より短く、および
前記将来の分析物値が分前記析物値範囲内にある場合、前記第１の間隔時間と等しいかそれより長く、ならびに
前記受信機（１）において、前記第２の間隔時間が適用される時間間隔で一またはそれ以上の以降の分析物値を受信すること
とを含む方法。
【請求項２】
前記分析物値を受信することは、連続的な分析物モニタリングにおいてバイオセンサによって検出された分析物値を受信することを含む、請求項１記載の方法。
【請求項３】
現在のモニタリングシークエンスにおいて前記バイオセンサ（８）によって検出された分析物値を受信すること、および
前記現在のモニタリングシークエンスとは異なる過去のモニタリングシークエンスにおいて前記バイオセンサ（８）によって検出された分析物値から前記分析物値範囲を決定すること
をさらに含む、請求項１または２記載の方法。
【請求項４】
前記変化レートを提供することは、以下の
分析物値に関する、現在の変化レート、最大の生理学的に起こり得るおよび臨床的に決定される変化レート、および患者特異的な変化レート
である群から選択される変化レートを提供することを含む、請求項１〜３のいずれか１項に記載の方法。
【請求項５】
前記変化レートを提供することは、
過去のモニタリングシークエンスにおいて前記バイオセンサ（８）によって検出された前記分析物値の分析から前記変化レートを決定することを含む、請求項１〜４のいずれか１項に記載の方法。
【請求項６】
前記変化レートを提供することは、一群の変化レート値から１つの変化レート値を選択することを含み、ここで、変化レート値のそれぞれは、分析物値に関する変化レートを示している、請求項１〜５のいずれか１項に記載の方法。
【請求項７】
決定パラメータを決定すること、および
前記決定パラメータに基づいて前記変化レート値を選択すること
をさらに含む、請求項１〜６のいずれか１項に記載の方法。
【請求項８】
前記第２の間隔時間を設定することは、少なくとも一つの以降のステップが次に実行されるのはいつであるのかということを規定する修正のパラメータを決定することと、前記将来の分析物値を決定することと、前記第２の間隔時間を設定することとを含む、請求項１〜７のいずれか１項に記載の方法。
【請求項９】
イベントを検出することに応じて、前記バイオセンサ（８）から現在の分析物値を受信することをさらに含む、請求項１〜８のいずれか１項に記載の方法。
【請求項１０】
イベントを検出することに応じて、前記第１または第２の間隔時間が適用される時間の間隔で前記分析物値の前記受信を中断することを含む、請求項９記載の方法。
【請求項１１】
前記現在の分析物値を受信することは、
前記第１または第２の間隔時間が適用される時間の間隔において前記分析物値を受信することを中断することのないバックグラウンドプロセスにおいて前記現在の分析物値を受信することをさらに含む、請求項９記載の方法。
【請求項１２】
前記イベントを検出することは、
前記受信機（１）および前記受信機（１）に接続されているコントロール装置（１０）のうちの少なくとも一つによるユーザインプット、および
前記受信機に接続されているセンサ（１１）によるセンサシグナル
のうちの少なくとも一つを検出することをさらに含む、請求項９〜１１のいずれか１項に記載の方法。
【請求項１３】
前記将来の分析物値、前記変化レート、および前記第２の間隔時間のうちの少なくとも一つに基づいて、制御パラメータが制御パラメータ閾値を超えているかどうかを決定すること、および
前記制御パラメータが前記制御パラメータ閾値を超えている場合、前記バイオセンサからの一またはそれ以上の以降の分析物値を前記受信器（１）で受信することであって、ここで、前記一またはそれ以上の以降の分析物値が前記第２の間隔時間よりも短い修正された間隔時間内に受信されること
をさらに含む、請求項１〜１２のいずれか１項に記載の方法。
【請求項１４】
受信ユニット（２）と、
前記受信ユニット（２）に接続されるプロセッサ（３）と
を備える受信機（１）であって、
前記プロセッサ（３）が、
第１の間隔時間が適用される時間間隔で分析物をモニタリングするバイオセンサ（８）によって検出された分析物値を、受信機ユニット（２）を介して、受信する、
現在の分析物値を、受信機ユニット（２）を介して、受信する、
前記分析物値に関する変化レートを提供する、
前記現在の分析物値、前記第１の間隔時間、および前記変化レートに基づいて、将来の分析物値を決定する、
前記分析物値に関する分析物値範囲を提供する、
第２の間隔時間を、前記第２の間隔時間が
前記将来の分析物値が前記分析物値範囲の外側にある場合、前記第１の間隔時間より短くなるように、および
前記将来の分析物値が前記分析物値範囲内にある場合、前記第１の間隔時間と等しいかまたはそれより長くなるように、
設定する、および
前記第２の間隔時間が適用される時間間隔で一またはそれ以上の以降の分析物値を、受信機ユニット（２）を介して、受信する
ように構成されている、受信機（１）。
【請求項１５】
保管媒体上に保管され、および、医療システムにおける作動のあいだに請求項１〜１３のいずれか１項に記載の方法を実行するように構成されているコンピュータ製品であって、受信機（１）およびバイオセンサ（８）を備えるコンピュータ製品。
【手続補正２】
【補正対象書類名】明細書
【補正対象項目名】００４２
【補正方法】変更
【補正の内容】
【００４２】
イベントを検出することは、さらに、受信機および受信機に接続されているコントロール装置のうちの少なくとも一つによってユーザインプットおよび受信機に接続されているセンサによるセンサシグナルのうちの少なくとも一つを検出することを含んでいてもよい。コントロール装置は、コントロール装置のインプットユニットを通じてユーザインプットを受信し得る。コントロール装置は、携帯型または非携帯型の装置において受信機とともに備えられていてもよい。例えば、ユーザインプットはキーボードまたはタッチセンサ式ディスプレイを介して受信され得る。例えば、ユーザは、ユーザインプットを提供することによって現在の分析物値の送信を開始し得る。代替的にまたは追加で、現在の分析物値は、センサシグナルに応じて受信機で受信されてもよい。例えば、センサは、日中の光を検出するための光センサであってもよく、これにより、現在の日中の光／一日のうちの時間に関する情報を提供し得る。代替的にまたは追加で、センサシグナルは、マイク、加速度計、および／またはカメラによって提供されてもよい。また、受信機の動きおよび／または加速度を検出するセンサもまた備えられていてもよい。代替として、ユーザは、ユーザインプットにより身体活動および／または食事の摂取といったイベントに関する情報を提供してもよい。このような、またはほかの情報は変化レート値を決定するために受信機のプロセッサによって処理され得る。
【手続補正３】
【補正対象書類名】明細書
【補正対象項目名】００５２
【補正方法】変更
【補正の内容】
【００５２】
グルコース測定またはモニタリングに関して、グルコースレベルまたはグルコース値は、例えばスポットモニタリングなどを介して血液試料を分析することによって、および、代替的または追加で、完全にまたは部分的に留置されたセンサを介した持続グルコースモニタリング（ＣＧＭ）によって決定され得る。一般的に、ＣＧＭの意味において、血液中でのグルコース値またはレベルを示す分析物値またはレベルが決定され得る。分析物値は、間質液中で測定されてもよい。測定は、皮下でまたはインビボで実行されてもよい。ＣＧＭは、分析物値をユーザからの作用なしに頻繁にまたは自動的に提供する／アップデートするほぼリアルタイムなまたは準連続的なモニタリング手法として実行され得る。代替的な実施形態において、分析物は、点眼薬を通してコンタクトレンズ中のバイオセンサで測定されてもよいし、経皮的測定を介して皮膚上のバイオセンサで汗中で測定されてもよい。